(57)【要約】【課題】荷物の収納時や取出し時において、蓋体の開閉が場所を取らずにコンパクトで簡単に行えるスーツケースを提供する。【解決手段】箱形のケース本体１２と、該ケース本体１２の上部に設けられる延出自在な把手１３と、ケース本体１２の底部に設けられるキャスター１４とを少なくとも備えるスーツケース１１であって、ケース本体１２は、正面側に設けられる枠部１７と、該枠部１７の内側に有する開口部１８と、枠部１７の一端部側にヒンジ部１９を介して開閉自在に設けられて開口部１８を施蓋する板状の蓋体２０と、を有し、該蓋体２０の縁部と枠部１７の縁部とに沿ってファスナー２１が設けられ、該ファスナー２１には、一対のスライダー２２、２２がスライド自在に設けられている。【選択図】図５
0003176683.tif 000002
【実用新案登録請求の範囲】
【請求項１】
箱形のケース本体と、該ケース本体の上部に設けられる延出自在な把手と、前記ケース本体の底部に設けられるキャスターとを少なくとも備えるスーツケースであって、
前記ケース本体は、
正面側に設けられる枠部と、
該枠部の内側に有する開口部と、
前記枠部の一端部側にヒンジ部を介して開閉自在に設けられて前記開口部を施蓋する板状の蓋体と、を有し、
該蓋体の縁部と前記枠部の縁部とに沿ってファスナーが設けられ、
該ファスナーには、一対のスライダーがスライド自在に設けられていること
を特徴とするスーツケース。
【請求項２】
前記枠部の他端部側には、ロック部材が設けられ、
該ロック部材が、前記スライダーを保持してロック可能な構成であること
を特徴とする請求項１に記載のスーツケース。
【考案の詳細な説明】
【技術分野】
【０００１】
本考案は、スーツケースに関するものであり、更に詳しくは、荷物の収納時や取出し時において、蓋体の開閉が場所を取らずにコンパクトで簡単に行えるスーツケースに関するものである。
【背景技術】
【０００２】
従来のスーツケースとしては、図７に示す構成のものが知られている。このスーツケース１は、ケース本体２と蓋体３とが開閉自在に連結されており、このケース本体２及び蓋体３に荷物の収納スペース４、５を備えている。収納スペース４、５の上部には、シート状の中蓋６、７が設けられており、中蓋６、７の端部には、係止具８が取り付けられている（特許文献１参照）。
【０００３】
ケース本体２及び蓋体３の縁部には、フック９が設けられており、このフック９に係止具８を係止するようになっている。係止具８をフック９に係止して、中蓋６、７で収納スペース４、５の上部を覆うことで、蓋体３の開閉時などに当該収納スペース４、５内の荷物がズレ落ちないようになっている。
【先行技術文献】
【特許文献】
【０００４】
【特許文献１】特開２００２−２８０１９号公報
【考案の概要】
【考案が解決しようとする課題】
【０００５】
この従来例のスーツケース１においては、荷物の収納時や取出し時に、ケース本体２と蓋体３とを大きく開いて行うので（図７参照）、旅行先でのホテルの床やベットの上などを広く占拠することとなり邪魔になるという欠点を有している。
【０００６】
また、蓋体３は、収納スペース５内の荷物によって重量が嵩み、当該蓋体３を開閉するには可成りの腕力が必要である。従って、特に女性や高齢者などにとって蓋体３の開閉は重くて厄介であるという欠点も有している。
【０００７】
更に、蓋体３を開閉するときに、係止具８がフック９から外れて中蓋７がズレることがあり、その場合は、収納スペース５内の荷物がズレ落ちるおそれがあるという欠点も有している。
【０００８】
従って、従来例におけるスーツケース１においては、蓋体３を開いたときに場所を取らないことと、蓋体３の開閉に腕力を必要としないことと、蓋体３の開閉時に荷物が落ちないこととに解決しなければならない課題を有している。
【課題を解決するための手段】
【０００９】
前記従来例の課題を解決するための本考案の要旨は、箱形のケース本体と、該ケース本体の上部に設けられる延出自在な把手と、前記ケース本体の底部に設けられるキャスターとを少なくとも備えるスーツケースであって、前記ケース本体は、正面側に設けられる枠部と、該枠部の内側に有する開口部と、前記枠部の一端部側にヒンジ部を介して開閉自在に設けられて前記開口部を施蓋する板状の蓋体と、を有し、該蓋体の縁部と前記枠部の縁部とに沿ってファスナーが設けられ、該ファスナーには、一対のスライダーがスライド自在に設けられていることである。
【００１０】
また、前記枠部の他端部側には、ロック部材が設けられ、該ロック部材が、前記スライダーを保持してロック可能な構成であること、；
を含むものである。
【考案の効果】
【００１１】
本考案に係るスーツケースによれば、ケース本体の正面側に設けられる蓋体を開閉して荷物の収納や取出しを行うので、蓋体を開いたときにコンパクトで場所を取らず、邪魔にならない。
また、蓋体は従来例のような収納スペースがないので重量が嵩むことはなく、蓋体を開閉するのに腕力は必要ない。つまり、女性や高齢者などでも簡単に開閉できる。
同様に、蓋体には従来例のような収納スペースがないので、蓋体の開閉時に荷物が落ちないという種々の優れた効果を奏する。
【００１２】
枠部の他端部側には、ロック部材が設けられ、このロック部材がスライダーを保持してロック可能な構成であることによって、ロック時にはスライダーを固定するので、ロック状態が確実である。
また、蓋体にロック用の保持部材を別途に設ける必要がないので、部材点数や取付手間の点でコストダウンとなるという優れた効果を奏する。
【図面の簡単な説明】
【００１３】
【図１】本考案に係るスーツケース１１の正面側の斜視図である。
【図２】本考案に係るスーツケース１１の背面側の斜視図である。
【図３】本考案に係るスーツケース１１の正面図である。
【図４】本考案に係るスーツケース１１の右側面図である。
【図５】本考案に係るスーツケース１１の蓋体２０を開けた状態の斜視図である。
【図６】本考案に係るスーツケース１１の把手１３を上げた状態の斜視図である。
【図７】従来例に係るスーツケース１の蓋体３を開いた状態の斜視図である。
【考案を実施するための形態】
【００１４】
次に、本考案の実施の形態について図面を参照しながら説明する。まず、図１から図４において、符号１１はスーツケースを示し、このスーツケース１１は、箱形のケース本体１２と、ケース本体１２の上部に設けられる延出自在な把手１３と、ケース本体１２の底部に設けられるキャスター１４とから構成される。
【００１５】
ケース本体１２は、正面側の正面部材１２ａと、背面側の背面部材１２ｂとを連結して構成される（図４参照）。当該連結部分は、図１、図２及び図４に示すように、正面部材１２ａの縁部１２ｃに沿って、柔軟性のある帯状部材１５が設けられている。また、背面部材１２ｂの縁部１２ｄに沿って、柔軟性のある帯状部材１６が設けられている。
【００１６】
帯状部材１５、１６の内側には、ファスナー（図示せず）が当該帯状部材１５、１６に沿って一連に設けられており、このファスナーで、正面部材１２ａと、背面部材１２ｂとを連結している。このように帯状部材１５、１６は、その内側に存在するファスナーの目隠しとしての役目も有することとなる。
【００１７】
更に、ファスナーの内側には、当該ファスナーの幅よりもやや幅広の連結用の布部材（図示せず）が、正面部材１２ａと背面部材１２ｂとを連結して設けられている。
【００１８】
このような構成の連結部分は、ファスナーを開成すると、連結用の布部材が表れると共に、当該正面部材１２ａと背面部材１２ｂとが離隔して、その結果、ケース本体１２が広がって、その分の容積が増大できるようになっている（何れも図示せず）。
【００１９】
ケース本体１２（正面部材１２ａ）の正面側には、枠部１７が形成されており、枠部１７の内側には、矩形状の開口部１８を有する（図５参照）。
【００２０】
枠部１７の一端部側には、ヒンジ部１９を介して板状の蓋体２０が開閉自在に設けられている。蓋体２０の縁部と枠部１７の縁部とに沿った位置には、ファスナー２１が設けられている。また、ファスナー２１には、一対のスライダー２２、２２がスライド自在に設けられている。
【００２１】
このスライダー２２をスライドしてファスナー２１を閉操作することで、蓋体２０が開口部１８を施蓋する（図１及び図３参照）。また、スライダー２２をスライドしてファスナー２１を開操作することで、蓋体２０を開いて中の荷物の取出しや収納を行うことができる（図５参照）。
【００２２】
なお、図５中の符号２５は収納ポケットを示し、符号２６は収納ポケット２５を開閉するファスナーを示し、符号２７は規制用のベルトを示す。
【００２３】
枠部１７の他端部側には、ロック部材２３が設けられている。ロック部材２３は、スライダー２２、２２を保持してロックが可能な構成であり、ロック時にはロック部材２３を施錠してスライダー２２、２２を固定する。
【００２４】
把手１３は、図２及び図６に示すように、複数段に引き出すことができるよう延出自在な構成になっており、把手１３を持って移動するときは、適宜に引き出して使用する。
【００２５】
キャスター１４は、底部に４箇所設けられており、このキャスター１４とブラケット２４とがそれぞれ回転自在に設けられている。
【００２６】
以上のように構成されるスーツケース１１は、図５に示すように、ケース本体１２の正面側に設けられる蓋体２０を開閉して荷物の収納や取出しを行うので、蓋体２０を開いたときにコンパクトで場所を取らず邪魔にならない。
また、蓋体２０には従来例のような収納スペース５がないので重量が嵩むことはなく、蓋体２０を開閉するのに腕力は必要ない。同様に、蓋体２０には従来例のような収納スペース５がないので、蓋体２０の開閉時に荷物が落ちない。
【符号の説明】
【００２７】
１    スーツケース
２    ケース本体
３    蓋体
４、５  収納スペース
６、７  中蓋
８    係止具
９    フック
１１  スーツケース
１２  ケース本体
１２ａ  正面部材
１２ｂ  背面部材
１２ｃ、１２ｄ  縁部
１３  把手
１４  キャスター
１５、１６  帯状部材
１７  枠部
１８  開口部
１９  ヒンジ部
２０  蓋体
２１  ファスナー
２２  スライダー
２３  ロック部材
２４  ブラケット
２５  収納ポケット
２６  ファスナー
２７  規制用のベルト
【図１】
0003176683.tif 000003
【図２】
0003176683.tif 000004
【図３】
0003176683.tif 000005
【図４】
0003176683.tif 000006
【図５】
0003176683.tif 000007
【図６】
0003176683.tif 000008
【図７】
0003176683.tif 000009